(57)【要約】【課題】快適な履き心地を得ることができるとともに、袋状部および中底の前端部が本底から剥離するのを防止することができる靴を提供する。【解決手段】靴１０は、地面に接触する接地部３２を有する本底２０と、本底２０の外周縁に取り付けられ、足を収容する足収容部７６を構成する表材１４と、本底２０の上面の前端部を除いた部分に配置され、表材１４を吊り込んで固定する中底２４と、表材１４よりも柔軟な材料からなり、表材１４の裏面に接合される裏材１６とを備え、裏材１６は、後方へ向けて開口された開口部７８ｂを有し、足先を包み込む袋状部７８と、開口部７８ｂの幅方向両側において袋状部７８と一体に形成され、中底２４の下面に吊り込まれる吊込み部８０ｃとを有し、中底２４の前端部２４ｂは、袋状部７８の底部７８ａの下方に配置されている。【選択図】図２
2010075679.tif 000002
【特許請求の範囲】
【請求項１】
地面に接触する接地部を有する本底と、
前記本底の外周縁に取り付けられ、足を収容する足収容部を構成する表材と、
前記本底の上面の前端部を除いた部分に配置され、前記表材を吊り込んで固定する中底と、
前記表材よりも柔軟な材料からなり、前記表材の裏面に接合される裏材とを備え、
前記裏材は、後方へ向けて開口された開口部を有し、足先を包み込む袋状部と、前記開口部の幅方向両側において前記袋状部と一体に形成され、前記中底の下面に吊り込まれる吊込み部とを有し、
前記中底の前端部は、前記袋状部の底部の下方に配置されている、靴。
【請求項２】
前記本底の内部には、弾性を有する隔壁によって仕切られた複数の空部が構成されており、
前記本底の上面における少なくとも前記袋状部に対応する部分には、前記空部に連通する吸排気孔が形成されており、
前記袋状部の少なくとも底部は通気性を有している、請求項１に記載の靴。
【請求項３】
前記袋状部の底部には、通気性および吸湿性を有する環境改善部材が層状に取り付けられている、請求項２に記載の靴。
【請求項４】
前記本底の上面における前記中底に覆われる領域の少なくとも一部には、前記空部に連通する吸排気孔が形成されており、
前記中底には、前記吸排気孔から吸排気される空気が通る通気孔が形成されている、請求項２または３に記載の靴。
【請求項５】
（ａ）地面に接触する接地部を有する本底を準備する工程と、
（ｂ）足を収容する足収容部を構成する表材を準備する工程と、
（ｃ）前記表材よりも柔軟な材料からなり、足先を挿入する開口部を有する袋状部と、前記開口部の幅方向両側において前記袋状部と一体に形成された吊込み部とを有する裏材を準備する工程と、
（ｄ）前記本底の上面の前端部を除いた部分に配置される中底を準備する工程と、
（ｅ）前記表材の裏面に裏材を接合する工程と、
（ｆ）前記表材の一部と前記裏材の吊込み部とを前記中底の下面に吊り込む工程と、
（ｇ）前記表材、前記裏材および前記中底を前記本底に接合する工程とを備える、靴の製造方法。
【発明の詳細な説明】
【技術分野】
【０００１】
本発明は、足先を包み込む部分を柔軟に構成することによって快適な履き心地を得るようにした、靴および靴の製造方法に関する。
【背景技術】
【０００２】
足先を包み込む部分を柔軟な袋状に構成する靴の製造方法は、ボロネーゼ製法等として周知であり、この製造方法で製造された靴によれば、足先を包み込む部分が足先の動きに追従するため、足先にかかる負担を軽減することが可能であり、快適な履き心地を得ることができる。そのため、当該製造方法は、従来より、婦人靴または紳士靴等の種別を問わず、広く普及しており、特許文献１には、当該製造方法により製造される靴の一例が開示されている。
【０００３】
特許文献１に開示された靴は、簡単に言えば、「甲革（１）の前部側を袋縫いするとともに、甲革（１）の底部開口縁を半中底（以下、「中底」という。）（２３）の下面に吊り込んで固定したもの」であり、中底（２３）の大きさは、踵から土踏まずの前端くらいまでの大きさに設計されている。
【先行技術文献】
【特許文献】
【０００４】
【特許文献１】特許第３７１３５１０号公報
【発明の概要】
【発明が解決しようとする課題】
【０００５】
特許文献１に開示された靴によれば、足先の下方に中底（２３）が存在しないことから、甲革（１）の袋縫いした部分を足先の動きに容易に追従させることができる。しかし、中底（２３）の前端部は、靴の中でも最も頻繁に変形（屈曲等）される部分、すなわち土踏まずの前端が位置する部分またはその周辺部分に位置しているため、中底（２３）の前端部が本底（２１）から剥離し易く、当該剥離に起因して靴が壊れるという問題があった。特に、本底（２１）の後部と前部との間に急勾配の傾斜部が設けられている靴（たとえばハイヒール靴）においては、中底（２３）の前端部に様々な方向の荷重が集中するため、上記問題は顕著であった。
【０００６】
本発明は、上記課題を解決するためになされたものであり、快適な履き心地を得ることができるとともに、中底の前端部が本底から剥離するのを防止することができる靴および靴の製造方法を提供することを目的とする。
【課題を解決するための手段】
【０００７】
上記課題を解決するために、本発明の靴は、地面に接触する接地部を有する本底と、前記本底の外周縁に取り付けられ、足を収容する足収容部を構成する表材と、前記本底の上面の前端部を除いた部分に配置され、前記表材を吊り込んで固定する中底と、前記表材よりも柔軟な材料からなり、前記表材の裏面に接合される裏材とを備え、前記裏材は、後方へ向けて開口された開口部を有し、足先を包み込む袋状部と、前記開口部の幅方向両側において前記袋状部と一体に形成され、前記中底の下面に吊り込まれる吊込み部とを有し、前記中底の前端部は、前記袋状部の底部の下方に配置されている。
【０００８】
この構成では、裏材が足先を包み込む袋状部を有しており、当該袋状部を足先の動きに追従させることができるので、足先にかかる負担を軽減することができる。また、袋状部における開口部の幅方向両側に中底の下面に吊り込まれる吊込み部が形成されているので、本底および中底に対して袋状部を強固に固定することができる。そして、中底の前端部が袋状部の底部の下方に配置されており、当該前端部を袋状部の底部で押えることができるので、当該前端部が本底から剥離するのを防止することができる。
【０００９】
なお、本発明の説明で用いる「前後」、「左右」、「上下」の方向は、靴を履いた歩行者から見たときの方向と一致するものとする。
【００１０】
前記本底の内部には、弾性を有する隔壁によって仕切られた複数の空部が構成されており、前記本底の上面における少なくとも前記袋状部に対応する部分には、前記空部に連通する吸排気孔が形成されており、前記袋状部の少なくとも底部は通気性を有していてもよい。
【００１１】
この構成では、本底の内部に複数の空部を構成するとともに、本底の上面に空部に連通する吸排気孔を形成し、さらに、袋状部の少なくとも底部に通気性を持たせているので、当該空部を「空気循環ポンプ」として機能させることができ、空部内の空気を吸排気孔から靴の内部に供給することができ、また、靴の内部の空気を吸排気孔から空部内に取り込むことができる。
【００１２】
前記袋状部の底部には、通気性および吸湿性を有する環境改善部材が層状に取り付けられていてもよい。
【００１３】
この構成では、袋状部の底部に取り付けられた環境改善部材によって靴内の空気を除湿することができ、靴内の環境を改善して快適性を高めることができる。
【００１４】
前記本底の上面における前記中底に覆われる領域の少なくとも一部には、前記空部に連通する吸排気孔が形成されており、前記中底には、前記吸排気孔から吸排気される空気が通る通気孔が形成されていてもよい。
【００１５】
この構成では、中底に形成された通気孔を通して空気を循環させることができる。
【００１６】
上記課題を解決するために、本発明の靴の製造方法は、（ａ）地面に接触する接地部を有する本底を準備する工程と、（ｂ）足を収容する足収容部を構成する表材を準備する工程と、（ｃ）前記表材よりも柔軟な材料からなり、足先を挿入する開口部を有する袋状部と、前記開口部の幅方向両側において前記袋状部と一体に形成された吊込み部とを有する裏材を準備する工程と、（ｄ）前記本底の上面の前端部を除いた部分に配置される中底を準備する工程と、（ｅ）前記表材の裏面に裏材を接合する工程と、（ｆ）前記表材の一部と前記裏材の吊込み部とを前記中底の下面に吊り込む工程と、（ｇ）前記表材、前記裏材および前記中底を前記本底に接合する工程とを備える。
【００１７】
この構成では、表材の一部と裏材の吊込み部とを中底の下面に吊り込んだ後に、表材、裏材および中底を本底に接合するようにしているので、表材の一部と裏材の吊込み部とを中底と本底とによって挾持することができ、表材および裏材を本底に対して強固に固定することができる。
【発明の効果】
【００１８】
本発明は、以上に説明したように構成され、袋状部によって足先を包み込む部分の柔軟性を確保することができるので、快適な履き心地を得ることができる。また、吊込み部によって本底に対する袋状部の接合強度を十分に確保することができるので、袋状部が本底から剥離するのを防止することができる。そして、本底に対して強固に接合された袋状部の底部で中底の前端部を押えることができるので、中底が本底から剥離するのを防止することができる。つまり、本発明によれば、履き心地を損なうことなく、靴の耐久性を高めることができる。
【図面の簡単な説明】
【００１９】
【図１】図１は第１実施形態に係る靴の全体構成を示す斜視図である。
【図２】図２は第１実施形態に係る靴の全体構成を示す一部断面正面図である。
【図３】図３は第１実施形態に係る靴の全体構成を示す一部仮想斜視図である。
【図４】図４（Ａ）は、第１実施形態における本底の構成を示す平面図であり、図４（Ｂ）は、当該本底の構成を示す底面図である。
【図５】図５は第１実施形態における本底の構成を示す分解斜視図である。
【図６】図６は第１実施形態における嵌合部の構成を下面側から示す部分拡大斜視図である。
【図７】図７は第１実施形態における本底の構成を示す部分拡大断面図である。
【図８】図８（Ａ）は、第１実施形態における裏材の構成を上面側から示す斜視図であり、図８（Ｂ）は、当該裏材の構成を下面側から示す斜視図である。
【図９】第１実施形態における前裏材の構成を示す展開図である。
【図１０】図１０は第１実施形態における内裏材の構成を示す展開図である。
【図１１】図１１は第１実施形態における外裏材の構成を示す展開図である。
【図１２】図１２は第１実施形態における後裏材の構成を示す展開図である。
【図１３】図１３は第１実施形態における袋底材の構成を示す展開図である。
【図１４】図１４は表材の内面に裏材を接合する工程を示す斜視図である。
【図１５】図１５は中底に対して表材および裏材を吊り込む工程を示す斜視図である。
【図１６】図１６は図１５の工程で得られた足収容部構成部材を示す断面図である。
【図１７】図１７は図１５の工程で得られた足収容部構成部材を本底およびヒール部に接合する工程を示す斜視図である。
【図１８】図１８（Ａ）は、第１実施形態に係る靴の作用を接地部について示す部分拡大断面図であり、図１８（Ｂ）は、当該靴の作用を傾斜部について示す部分拡大平面図である。
【図１９】図１９は第２実施形態に係る靴における本底の構成を示す部分拡大断面図である。
【図２０】図２０は第３実施形態に係る靴における本底の構成を示す平面図である。
【図２１】図２１は第４実施形態に係る靴における環境改善部材およびその取付け方法を示す斜視図である。
【発明を実施するための形態】
【００２０】
以下に、本発明の好ましい実施形態を、図面を参照しながら説明する。
【００２１】
（第１実施形態）
［靴の全体構成］
図１は本発明の第１実施形態に係る靴１０の全体構成を示す斜視図であり、図２は靴１０の全体構成を示す一部断面正面図であり、図３は靴１０の全体構成を示す一部仮想斜視図である。なお、図面に示した靴１０は、左足用であるため、以下の説明において「内側」とは「右側」を意味し、「外側」とは「左側」を意味する。
【００２２】
靴１０は、婦人用の「ハイヒール靴」として構成されたものであり、図１に示すように、靴底１２、表材１４、裏材１６および中敷１８を備えている。
【００２３】
靴底１２は、図２および図３に示すように、靴１０の土台となる本底２０と、本底２０の後部を所定高さで支持するヒール部２２と、本底２０を補強する中底２４とを有しており、これらが一体となって歩行者の足を安定的に支持する機能を発揮する。
【００２４】
本底２０は、図３に示すように、本底本体２６と、本底本体２６と一体となって「空気循環ポンプ」を構成する嵌合部２８とを有しており、本底２０の後部には、ヒール部２２に接合されるヒール接合部３０が鉛直方向へ延びて形成されており、本底２０の前部には、地面に接触する接地部３２が水平方向へ延びて形成されており、本底２０の中央部には、地面に接触しない「非接地部」としての傾斜部３４が前方へ向かうにつれて低くなるように傾斜して形成されている。
【００２５】
図４および図５に示すように、部品としての本底本体２６は、足裏形状に近似した平面視形状を有する板状部材であり、天然ゴム、イソプレンゴム、ブタジエンゴム、スチレン−ブタジエンゴム、アクリロニトリル−ブタジエンゴム、クロロプレンゴム、ブチルゴム等のような弾性材料によって一体に成形されている。そして、本底本体２６の後部２６ａは、後端に向かうにつれて幅が狭くなるように形成されており、この後部が鉛直方向へ曲げられることによって本底２０のヒール接合部３０（図３）が構成される。また、本底本体２６の前部２６ｂが水平方向に延びて配置されることによって本底２０の接地部３２（図３）が構成され、本底本体２６の中央部２６ｃが前方へ向かうにつれて低くなるように傾斜されることによって本底２０の傾斜部３４（図３）が構成される。
【００２６】
また、本底本体２６における前部２６ｂの下面には、図４（Ｂ）に示すように、滑り止め用の複数の突条３６が形成されており、中央部２６ｃの下面には、図４および図５に示すように、少なくとも１つ（本実施形態では８個）の下面側吸排気孔３８が上面側へ貫通して形成されている。さらに、本底本体２６の上面における前部２６ｂと中央部２６ｃとに跨った領域には、図５に示すように、嵌合部２８を収容する嵌合凹部４０が形成されており、嵌合凹部４０の底面に下面側吸排気孔３８が開口されている。
【００２７】
図４および図５に示すように、部品としての嵌合部２８は、嵌合凹部４０とほぼ同じ平面視形状を有し、かつ、嵌合凹部４０の深さとほぼ同じ厚さを有する板状部材であり、天然ゴム、イソプレンゴム、ブタジエンゴム、スチレン−ブタジエンゴム、アクリロニトリル−ブタジエンゴム、クロロプレンゴム、ブチルゴム等のような弾性材料によって一体に成形されている。そして、嵌合部２８の下面には、図６に示すように、平面視略四角形の複数の凹部４２が、その対角線が前後方向または左右方向へ延びるように網目状に並んで形成されており、隣接する２つの凹部４２間を仕切る隔壁４４には、通気溝４６が形成されている。また、嵌合部２８の下面における本底本体２６の下面側吸排気孔３８と対向する領域には、平面視略半円形の凹部４８が形成されており、凹部４８と凹部４２とを仕切る隔壁５０には、通気溝５２が形成されている。さらに、嵌合部２８の上面には、凹部４２のそれぞれに連通する上面側吸排気孔５４が形成されている。
【００２８】
そして、この嵌合部２８が、図５に示すように、本底本体２６の嵌合凹部４０に接着剤等を用いて接合されている。したがって、本底２０の内部における接地部３２と傾斜部３４とに跨った領域には、図７に示すように、凹部４２によって複数の空部５６が構成されており、空部５６どうしを仕切る隔壁５８には、通気溝４６によって通気孔６０が構成されている。また、本底２０の内部における最も後方に位置する空部５６の近傍には、凹部４８によって下面側吸排気孔３８と連通する空部６２が構成されており、空部６２と空部５６とを仕切る隔壁６４には、通気溝５２によって通気孔６６が構成されている。つまり、本底２０の内部には、複数の空部５６と通気孔６０とによって網目状の通気路Ａが構成されており、この通気路Ａが、上面側吸排気孔５４を介して靴１０の内部空間に連通されており、かつ、通気孔６６、空部６２および下面側吸排気孔３８を介して靴１０の外部空間に連通されている。
【００２９】
なお、本実施形態では、平面視略四角形の複数の空部５６を、本底２０の接地部３２と傾斜部３４とに分布して配設しているが、空部５６の形状は、特に限定されるものではなく、平面視略円形または略三角形等であってもよい。また、空部５６が配設される領域は、特に限定されるものではなく、接地部３２または傾斜部３４のいずれか一方だけであってもよい。さらに、本実施形態では、平面視略四角形の複数の空部５６を、その対角線が前後方向および左右方向へ延びるように配設しているが、空部５６の対角線の向きは、適宜変更してもよい。
【００３０】
ヒール部２２は、図３に示すように、ＡＢＳ（アクリロニトリルブタジエンスチレン）、ナイロン、ポリウレタン、ポリカーボネート等からなり、かつ、踵を受ける踵受面６８を有するブロック状のヒール本体７０を有しており、ヒール本体７０の下端部には、ゴム等からなるヒール底７２が接着剤等を用いて接合されており、ヒール本体７０の左右側面および後側面には、皮革等からなる化粧被覆材７４が貼り付けられている。そして、ヒール本体７０の前側面には、本底２０のヒール接合部３０が接着剤等を用いて接合されている。
【００３１】
なお、本実施形態では、本底２０とヒール部２２とを独立した部材として形成しているが、これらを一体に形成してもよい。
【００３２】
中底２４は、図２に示すように、本底２０における傾斜部３４の前端からヒール部２２における踵受面６８の後端にわたって配設された板状部材であり、厚紙、ＡＢＳ（アクリロニトリルブタジエンスチレン）、ナイロン等によって一体に成形されている。また、図１５に示すように、中底２４には、複数の通気孔２４ａが形成されており、空部５６（図７）内の空気を上面側吸排気孔５４（図７）および通気孔２４ａを通して靴１０の内部に供給することができ、また、靴１０の内部の空気を通気孔２４ａおよび上面側吸排気孔５４を通して空部５６の内部に取り込むことができるようになっている。
【００３３】
そして、中底２４の下面に対して表材１４および裏材１６が吊り込まれるとともに、中底２４の下面が本底２０の上面に接着剤Ｒ（図２）を用いて接合されている。中底２４を本底２０に接合した状態において、中底２４の前端部２４ｂは、図２に示すように、接地部３２と傾斜部３４との境界部分に位置している。したがって、靴１０を履いて歩行する際には、中底２４の前端部２４ｂに様々な方向の荷重が集中することになる。
【００３４】
表材１４は、図１および図２に示すように、靴１０の形状を保持し得る十分な強度と、歩行動作に応じて変形し得る柔軟性とを併有するシート状、或いは布状の部材であり、所定形状に裁断された複数の皮革シート等を縫い合わせること等によって構成されている。なお、表材１４の形状は、足収容部７６を構成できる限り、特に限定されるものではなく、靴の種類やデザイ上の観点から適宜変更されてもよい。
【００３５】
裏材１６は、図１および図２に示すように、表材１４よりも柔軟な材料からなり、足先を包み込む袋状部７８を有するシート状、或いは布状の部材であり、図８に示すように、所定形状に裁断された前裏材８０、内裏材８２、外裏材８４、後裏材８６および袋底材８８を縫い合わせることによって構成されている。
【００３６】
前裏材８０は、図９に示すように、袋状部７８（図８）の上部および左右側部を構成する略三角形の袋構成部８０ａを有しており、袋構成部８０ａの後端部８０ｂは、左右両側端へ向かうにつれて後方へ移行する円弧状に形成されており、袋構成部８０ａにおける左右両側部の後端部には、中底２４の下面に吊り込まれる吊込み部８０ｃが形成されている。さらに、袋構成部８０ａの前端部には、略三角形の切欠８０ｄが形成されており、切欠８０ｄの対向辺が互いに縫い付けられている。
【００３７】
内裏材８２は、図１０に示すように、足収容部７６（図１）の内側の側面を構成する略四角形の内側面構成部８２ａを有しており、内側面構成部８２ａの前端部８２ｃには、前裏材８０の円弧状の後端部８０ｂ（図９）に沿って延びる略Ｕ字状の帯状部８２ｂが形成されている。そして、内側面構成部８２ａの前端部８２ｃと帯状部８２ｂとが前裏材８０の後端部８０ｂに縫い付けられている。
【００３８】
外裏材８４は、図１１に示すように、足収容部７６（図１）の外側の側面を構成する略四角形の外側面構成部８４ａを有しており、外側面構成部８４ａの前端部８４ｃには、前裏材８０の円弧状の後端部８０ｂ（図９）に沿って延びる帯状部８４ｂが形成されている。そして、外側面構成部８４ａの前端部８４ｃと帯状部８４ｂとが前裏材８０の後端部８０ｂに縫い付けられている。
【００３９】
後裏材８６は、図１２に示すように、足収容部７６（図１）の後部側面を構成する略四角形の側面構成部８６ａを有しており、側面構成部８６ａにおける左右方向中央部の下部には、略三角形の切欠８６ｂが形成されている。そして、側面構成部８６ａの内側の前端部８６ｃが内裏材８２における内側面構成部８２ａ（図１０）の後端部８２ｄに縫い付けられており、側面構成部８６ａの外側の前端部８６ｄが外裏材８４における外側面構成部８４ａ（図１１）の後端部８４ｄに縫い付けられている。さらに、切欠８６ｂの対向辺が互いに縫い付けられている。
【００４０】
袋底材８８は、図１３に示すように、通気性を有し、かつ、足収容部７６の底面を構成する袋底構成部８８ａを有しており、袋底構成部８８ａの後部には、中底２４の上面に被せられる略四角形の被覆部８８ｂが形成されている。なお、袋底材８８においては、少なくとも袋底構成部８８ａが通気性を有していればよく、被覆部８８ｂは非通気性であってもよい。そして、袋底構成部８８ａの左右両側部８８ｃ，８８ｄおよび前端部８８ｅが、前裏材８０における袋構成部８０ａ（図９）の左右両側部８０ｅ，８０ｆおよび前端部８０ｇに連続的に縫い付けられており、これにより、通気性の底部７８ａを有する袋状部７８（図８）が構成されている。袋状部７８が構成された状態において、前裏材８０の吊込み部８０ｃは、袋底構成部８８ａの後端部の左右両側に配置されている。
【００４１】
したがって、本実施形態では、裏材１６が後方へ向けて開口された袋状部７８を有しており、当該袋状部７８の底部７８ａには、中底２４の上面に被せられる被覆部８８ｂが開口部７８ｂから後方へ突出して形成されている。また、裏材１６が吊込み部８０ｃを有しており、当該吊込み部８０ｃが開口部７８ｂの幅方向両側において袋状部７８と一体に形成されている。
【００４２】
なお、本実施形態では、前裏材８０、内裏材８２、外裏材８４、後裏材８６および袋底材８８を縫い合わせることによって裏材１６を構成しているが、これらの構成部材の数、形状および材質は、「足先を包み込む袋状部７８」を構成できる限り、適宜変更されてもよい。また、被覆部８８ｂの形状は、特に限定されるものではなく、略四角形の他、半円形、三角形、五角形等であってもよい。
【００４３】
中敷１８は、図１および図２に示すように、ウレタンフォーム等のような通気性材料からなるシート状または板状の部材であり、足収容部７６の底面のうち前部を除いた部分に敷設されている。したがって、足収容部７６の前部においては、袋状部７８の通気性を有する底部７８ａが露出しており、本底２０の内部に構成された通気路Ａ（図７）内の空気を、上面側吸排気孔５４から底部７８ａを通して足収容部７６内に供給することができ、また、足収容部７６内の空気を、底部７８ａを通して上面側吸排気孔５４から通気路Ａ内に取り込むことができる。一方、足収容部７６の後部および中央部においては、通気路Ａ（図７）内の空気を、上面側吸排気孔５４から中底２４（通気孔２４ａ）および中敷１８を通して足収容部７６内に供給することができ、また、足収容部７６内の空気を、中敷１８および中底２４（通気孔２４ａ）を通して上面側吸排気孔５４から通気路Ａ内に取り込むことができる。
【００４４】
なお、中敷１８の「大きさ」や「敷設位置」は、特に限定されるものではなく、足収容部７６の底面全体を覆うことのできる大きさに設計されてもよいし、足収容部７６の底面のうち前部、後部または中央部のいずれか一箇所または複数個所に敷設されてもよい。また、中底２４の表面に化粧処理を施した場合等には、中敷１８は省略されてもよい。
【００４５】
［靴の製造方法］
靴１０を製造する際には、まず、（ａ）地面に接触する接地部３２を有する本底２０を準備する工程と、（ｂ）足を収容する足収容部７６を構成する表材１４を準備する工程と、（ｃ）表材１４よりも柔軟な材料からなり、足先を挿入する開口部７８ｂを有する袋状部７８と、開口部７８ｂの幅方向両側において袋状部７８と一体に形成された吊込み部８０ｃとを有する裏材１６を準備する工程と、（ｄ）本底２０の上面の前端部を除いた部分に配置される中底２４を準備する工程とを実行する。
【００４６】
続いて、図１４に示すように、（ｅ）表材１４の裏面に裏材１６を接着剤等を用いて接合する工程を実行する。表材１４と裏材１６とを接合した状態では、表材１４によって裏材１６が完全に覆われるとともに、裏材１６の吊込み部８０ｃが袋状部７８における開口部７８ｂの幅方向両側から下方へ突出して配設される。また、袋状部７８の底部７８ａ（すなわち袋底材８８）に形成された被覆部８８ｂが袋状部７８の開口部７８ｂから後方へ突出して配設される。
【００４７】
表材１４と裏材１６とを接合した後は、図１５に示すように、（ｆ）表材１４の一部と裏材１６の吊込み部８０ｃとを中底２４の下面に吊り込む工程を実行し、図１６に示す足収容部構成部材９０を得る。つまり、表材１４および裏材１６の内側に型（図示省略）を挿入し、表材１４における下端部開口縁の一部と裏材１６の吊込み部８０ｃとを当該型に沿わせて中底２４の下面側へ折り曲げ、その折り曲げた部分を中底２４の下面に接着剤等を用いて接合する。また、このとき、中底２４の前端部２４ｂを袋状部７８の底部７８ａの下方に配置するとともに、当該底部７８ａに形成された被覆部８８ｂを中底２４の上面に被せ、この被覆部８８ｂを中底２４の上面に接着剤等を用いて接合する。
【００４８】
なお、中底２４の前端部２４ｂを袋状部７８の底部７８ａの下方に配置している限り、当該底部７８ａで中底２４を押えることができるので、被覆部８８ｂは必ずしも中底２４の上面に接合する必要はなく、単に被せておくだけであってもよい。
【００４９】
そして、図１７に示すように、（ｇ）表材１４、裏材１６および中底２４を本底２０に接合する工程を実行する。つまり、足収容部構成部材９０を本底２０およびヒール部２２の上面に接着剤Ｒ（図２）を用いて接合し、足収容部７６の底面のうち前部を除いた部分に中敷１８を接着剤等を用いて接合する。この工程では、上面側吸排気孔５４が接着剤によって閉塞されるのを防止するために、上面側吸排気孔５４を避けた位置に接着剤を塗布することが望ましい。
【００５０】
なお、このような靴の製造方法は、足先を包み込む部分を袋状に構成することから、いわゆる「ボロネーゼ製造方法」に分類することができる。
【００５１】
［靴の作用］
靴１０の足収容部７６（図２）に足を入れると、踵がヒール部２２における踵受面６８の上方に位置するとともに、足先が袋状部７８の内部に位置し、足先の裏が袋状部７８の通気性を有する底部７８ａすなわち袋底材８８の上面に位置する。
【００５２】
歩行者が靴１０を履いて歩くと、図１８（Ａ）に示すように、弾性材料で形成された本底２０が歩行動作に伴って変形され、本底２０の内部に構成された空部５６の容積が変化される。つまり、地面から足を持ち上げた際には、本底２０に歩行者の体重は作用しないため、図１８（Ａ）中の二点鎖線で示すように、空部５６は変形されない。この状態における空部５６の容積が最大であり、空部５６の内部には、空気が最大に溜められる。その後、地面に足を着地させると、歩行者の体重が本底２０に作用し、図１８（Ａ）中の実線で示すように、本底２０が部分的に圧縮され、一部の空部５６が押しつぶされる。これにより、一部の空部５６の容積が縮小され、図１８（Ａ），（Ｂ）中の太線矢印で示すように、当該空部５６内の空気が通気路Ａを通って上面側吸排気孔５４または下面側吸排気孔３８（図７）から排出される。
【００５３】
上面側吸排気孔５４から空気が排出されると、当該空気は、図１８（Ａ）中の太線矢印で示すように、通気性を有する袋底材８８を通して足収容部７６（図２）内に供給され、空気を撹拌しながら足収容部７６の開口部から外部へ排出される。これにより、足収容部７６内の湿気および熱気が拡散されるとともに、湿気および熱気の一部が空気に乗せて外部へ排出される。また、本実施形態では、本底２０の上面における中底２４に覆われる領域にも空部５６に連通する上面側吸排気孔５４が形成されており、中底２４には上面側吸排気孔５４から吸排気される空気が通る通気孔２４ａ（図１５）が形成されており、さらに、中敷１８が通気性材料で形成されているので、通気孔２４ａ等を通して空気を循環させることが可能であり、足収容部７６の全域について快適な環境を得ることができる。
【００５４】
歩行動作に伴って地面から足を再び持ち上げると、押しつぶされていた空部５６が復元される。これにより、当該空部５６の容積が増大され、通気路Ａ内の空気が当該空部５６内に吸引され、それに伴って、上面側吸排気孔５４および下面側吸排気孔３８から通気路Ａ内に空気が取り込まれる。このように、空部５６が「空気循環ポンプ」として機能することによって、足収容部７６内の空気が循環されるとともに当該空気が換気される。
【００５５】
また、靴１０においては、中底２４の前端部２４ｂが、本底２０のうち最も頻繁に変形（屈曲等）される部分である「接地部３２と傾斜部３４との境界部分」に位置しているので、前端部２４ｂには、歩行動作に伴って様々な方向の荷重が集中することになるが、袋状部７８の底部７８ａで前端部２４ｂを押えることができるので、前端部２４ｂが本底２０から剥離するのを防止することができる。そして、袋状部７８の底部７８ａに形成された被覆部８８ｂを中底２４の上面に被せるようにしているので、この被覆部８８ｂによっても、中底２４の前端部２４ｂを押えることができ、前端部２４ｂが本底２０から剥離するのを確実に防止することができる。
【００５６】
さらに、袋状部７８と一体に形成された吊込み部８０ｃが、開口部７８ｂの幅方向両側において中底２４の下面に吊り込まれて接合されているので、足先から袋状部７８に作用する力によって袋状部７８の底部７８ａが本底２０から剥離するのを防止することができる。
【００５７】
（第２実施形態）
第２実施形態に係る靴は、第１実施形態に係る靴１０の本底２０に代えて、図１９に示す本底９２を用いたものであり、他の構成は靴１０と同様である。したがって、以下には、本底９２について説明し、他の構成の説明は省略する。
【００５８】
本底９２は、図１９に示すように、弾性材料からなる本底本体９４と、弾性材料からなり、かつ、本底本体９４と一体となって「空気循環ポンプ」を構成する嵌合部９６とを有しており、本底本体９４の上面には、嵌合部９６を収容する嵌合凹部９８が形成されており、本底本体９４の下面には、少なくとも１つの下面側吸排気孔１００が上面側へ貫通して形成されている。また、嵌合凹部９８の底面には、複数の凹部１０２が形成されており、凹部１０２間を仕切る隔壁１０４には、通気溝１０６が形成されている。さらに、嵌合凹部９８の底面における下面側吸排気孔１００と対応する位置には、凹部１０８が形成されており、凹部１０８と凹部１０２とを仕切る隔壁１１０には、通気溝１１２が形成されている。一方、嵌合部９６には、凹部１０２に連通する複数の上面側吸排気孔１１４が形成されている。
【００５９】
そして、本底本体９４の嵌合凹部９８に嵌合部９６が嵌合されることによって、下面側吸排気孔１００および上面側吸排気孔１１４のそれぞれに連通する通気路Ａが本底９２の内部に構成されている。つまり、本底９２の内部には、凹部１０２によって空部１１６が構成されており、通気溝１０６によって通気孔１１８が構成されており、凹部１０８によって空部１２０が構成されており、通気溝１１２によって通気孔１２２が構成されている。
【００６０】
この構成においても、複数の空部１１６のそれぞれを「空気循環ポンプ」として機能させることができ、足収容部７６（図２）内に湿気や熱気が溜まるのを防止することができる。
【００６１】
（第３実施形態）
第３実施形態に係る靴は、「紳士靴」として構成されたものであり、図２０に示すように、本底１２４の後部に位置するヒール接合部１２６がヒール部（図示省略）の上面に接合されており、当該ヒール接合部１２６にも「空気循環ポンプ」として機能する空部１２８が設けられている。
【００６２】
つまり、第３実施形態に係る靴では、本底１２４の前部および中央部だけでなく後部（すなわち踵が位置する部分）にも、複数の空部１２８と、空部１２８どうしを連通する通気孔１３０と、空部１２８に連通する上面側吸排気孔１３２とが形成されている。また、下面側吸排気孔１３４が本底１２４の中央部に形成されており、当該中央部に下面側吸排気孔１３４に連通する空部１３６が形成されており、空部１２８と通気孔１３０とによって構成された通気路Ａが空部１３６に連通されている。なお、本底１２４の上面に接合される表材１４、裏材１６、中敷１８および中底２４の基本的構成については、上述した各機能を発揮できるように第１実施形態に係る靴１０と同様に構成されている。
【００６３】
（第４実施形態）
第４実施形態に係る靴は、図２１に示すように、上記各実施形態に係る靴における袋状部７８の底部７８ａに通気性および吸湿性を有する環境改善部材１４０を層状に取り付けたものである。
【００６４】
環境改善部材１４０は、ウレタンフォーム等のような通気性材料からなるシート状または板状の母材１４０ａと、活性炭等のような吸湿性材料からなる粉状、粒状、板状または棒状の吸湿材１４０ｂとを有しており、母材１４０ａの内部に吸湿材１４０ｂが一体的に配置されている。母材１４０ａの内部に吸湿材１４０ｂを配置する方法としては、特に限定されるものではなく、たとえば、母材１４０ａの材料に予め吸湿材１４０ｂを混合しておき、当該材料から母材１４０ａを成形するのと同時に、その内部に吸湿材１４０ｂを配置するようにしてもよい。
【００６５】
環境改善部材１４０を底部７８ａに対して層状に取り付ける方法としては、特に限定されるものではなく、たとえば、環境改善部材１４０の表面に接着剤をドット状に塗布し、当該接着剤によって環境改善部材１４０を底部７８ａに接着してもよいし、底部７８ａの形状とほぼ同じ形状を有する環境改善部材１４０を準備し、この環境改善部材１４０を底部７８ａに縫い付けるようにしてもよい。
【００６６】
この構成によれば、底部７８ａを通過して循環する空気を環境改善部材１４０によって除湿することができるので、靴内の環境を改善して快適性を高めることができる。
【産業上の利用可能性】
【００６７】
本発明は、「ハイヒール靴」、「ヒール部の高さが低い靴」および「ヒール部が存在しない靴」のいずれにも適用可能である。
【符号の説明】
【００６８】
Ａ…  通気路
１０…  靴
１２…  靴底
１４…  表材
１６…  裏材
１８…  中敷
２０…  本底
２２…  ヒール部
２４…  中底
２４ａ…  通気孔
２４ｂ…  前端部
２６…  本底本体
２８…  嵌合部
３２…  接地部
３４…  傾斜部
３８…  下面側吸排気孔
４０…  嵌合凹部
４２…  凹部
５４…  上面側吸排気孔
５６…  空部
５８…  隔壁
６０…  通気孔
７６…  足収容部
７８…  袋状部
８８…  袋底材
９０…  足収容部構成部材
９２…  本底
１１６…  空部
１２４…  本底
１２８…  空部
１４０…  環境改善部材
【図１】
2010075679.tif 000003
【図２】
2010075679.tif 000004
【図３】
2010075679.tif 000005
【図４】
2010075679.tif 000006
【図５】
2010075679.tif 000007
【図６】
2010075679.tif 000008
【図７】
2010075679.tif 000009
【図８】
2010075679.tif 000010
【図９】
2010075679.tif 000011
【図１０】
2010075679.tif 000012
【図１１】
2010075679.tif 000013
【図１２】
2010075679.tif 000014
【図１３】
2010075679.tif 000015
【図１４】
2010075679.tif 000016
【図１５】
2010075679.tif 000017
【図１６】
2010075679.tif 000018
【図１７】
2010075679.tif 000019
【図１８】
2010075679.tif 000020
【図１９】
2010075679.tif 000021
【図２０】
2010075679.tif 000022
【図２１】
2010075679.tif 000023